(57)【要約】【要  約】【課  題】    つっかい棒として機能した支持材の取り外し作業を行う必要がないとともに、つっかい棒として機能した後不要となった支持材を有効利用する。【解決手段】  空気調和装置は、室内ユニット（１）を壁に据え付ける際に、据付枠（２）に室内ユニットの上部を傾動可能に引っ掛けるとともに、支持材（１７）をつっかい棒にして、室内ユニットを傾けた状態にして配管接続などの工事を行う。支持材は、室内ユニットの背面に回動可能に取り付けられる基部（３１）、基部から延在する突っ張り部（３２）、突っ張り部の先端部から折れ曲がるとともに据付枠に当接する当接部（３３）、および、当接部から延在する配管支持部（３４）を具備している。支持材を下方に回動させて、配管支持部を配管配設用空間（１１）に入れ、配管配設用空間に配設される配管を支持材で押し込むことができる。【選択図】  図６
2006145049.tif 000002
【特許請求の範囲】
【請求項１】
室内ユニットを壁に据え付ける際に、据付枠を壁に固定し、この据付枠に室内ユニットの上部を傾動可能に引っ掛けるとともに、室内ユニットから延びる支持材をつっかい棒にして、室内ユニットを傾けた状態にして配管接続などの工事を行う空気調和装置において、
前記支持材は、室内ユニットの背面に回動可能に取り付けられる基部、この基部から延在する突っ張り部、この突っ張り部の先端部から折れ曲がるとともに据付枠に当接する当接部、および、この当接部からさらに延在する配管支持部を具備し、
前記室内ユニットの背面側には、支持材の基部よりも下側に、配管配設用空間が形成され、
前記支持材の当接部を据付枠に当接させると、室内ユニットを傾けた状態とすることができ、
この室内ユニットを傾けた状態から、支持材を下方に回動させて、配管支持部を配管配設用空間に入れ、配管配設用空間に配設される配管を支持材で押し込むことができることを特徴とする空気調和装置。
【請求項２】
前記支持材の配管支持部は当接部の端部から折れ曲がりながら延在しており、
支持材の当接部が据付枠に当接して室内ユニットが傾いた状態では、前記支持材の配管支持部は、当接部よりも基部側に位置していることを特徴とする請求項１記載の空気調和装置。
【請求項３】
前記配管配設用空間の下側の下壁には、支持材の基部の下方に、下部作業開口が形成され、
この下部作業開口をカバーする下カバーが設けられていることを特徴とする請求項１または２記載の空気調和装置。
【請求項４】
前記据付枠は、支持材の当接部が当接する置台を具備していることを特徴とする請求項１，２または３記載の空気調和装置。
【発明の詳細な説明】
【技術分野】
【０００１】
本発明は、壁掛け用の空気調和装置に関する。
【背景技術】
【０００２】
従来、この種の空気調和装置（たとえば、特許文献１など参照）では、室内ユニットを壁に据え付ける際に、据付枠を壁に固定し、壁に固定された据付枠に室内ユニットの上部を傾動可能に引っ掛けるとともに、室内ユニットから延びる支持材をつっかい棒にして、室内ユニットを傾けた状態にして配管接続などの工事を行うものが知られている。
【特許文献１】特開２００３−１６１４５９号公報
【発明の開示】
【発明が解決しようとする課題】
【０００３】
ところで、この様な空気調和装置では、つっかい棒として機能した支持材は、配管接続などの工事作業の後に取り外されている。したがって、傾いた状態の室内ユニットを手などで支えながら、支持材の取り外し作業を行う必要があり、空気調和装置の設置作業に手間がかかっている。また、不要となった支持材は有効利用されない。
【０００４】
解決しようとする問題点は、つっかい棒として機能した支持材の取り外し作業を行う必要があり、空気調和装置の設置作業に手間がかかる点、および、つっかい棒として機能した後不要となった支持材が有効利用されない点である。
【課題を解決するための手段】
【０００５】
本発明の空気調和装置は、室内ユニット（１）を壁に据え付ける際に、据付枠（２）を壁に固定し、この据付枠に室内ユニットの上部を傾動可能に引っ掛けるとともに、室内ユニットから延びる支持材（１７）をつっかい棒にして、室内ユニットを傾けた状態にして配管接続などの工事を行う。支持材は、室内ユニットの背面に回動可能に取り付けられる基部（３１）、この基部から延在する突っ張り部（３２）、この突っ張り部の先端部から折れ曲がるとともに据付枠に当接する当接部（３３）、および、この当接部からさらに延在する配管支持部（３４）を具備している。室内ユニットの背面側には、支持材の基部よりも下側に、配管配設用空間（１１）が形成されている。そして、支持材の当接部を据付枠に当接させると、室内ユニットを傾けた状態とすることができる。この室内ユニットを傾けた状態から、支持材を下方に回動させて、配管支持部を配管配設用空間に入れ、配管配設用空間に配設される配管を支持材で押し込むことができる。
【０００６】
また、支持材の配管支持部は当接部の端部から折れ曲がりながら延在しており、支持材の当接部が据付枠に当接して室内ユニットが傾いた状態では、前記支持材の配管支持部は、当接部よりも基部側に位置していることがある。
【０００７】
さらに、配管配設用空間の下側の下壁（１２）には、支持材の基部の下方に、下部作業開口（１３）が形成され、この下部作業開口をカバーする下カバー（１４）が設けられていることがある。
そして、据付枠は、支持材の当接部が当接する置台（２７）を具備していることがある。
【発明の効果】
【０００８】
本発明によれば、室内ユニットから延びる支持材をつっかい棒にして、室内ユニットを傾けた状態にすることができ、配管接続などの工事を、室内ユニットを手などで支持することなく、簡単に行うことができる。そして、支持材の当接部から配管支持部がさらに延在しているため、支持材をつっかい棒にした状態から、下方に回動させることにより、配管支持部を配管配設用空間に入れ、配管配設用空間に配設される配管を支持材で押し込むことができる。その結果、配管を配管配設用空間に収納する作業が容易となるとともに、つっかい棒として機能した支持材を、有効利用して、配管保持部材としても機能させることができる。
【０００９】
また、支持材の配管支持部は当接部の端部から折れ曲がりながら延在しており、支持材の当接部が据付枠に当接して室内ユニットが傾いた状態では、支持材の配管支持部は、当接部よりも基部側に位置している場合がある。この様な場合には、支持材などに取付誤差などが生じても、配管支持部が据付枠や配管配設用空間の下壁などに接触するおそれが減少する。
【００１０】
さらに、配管配設用空間の下側の下壁には、支持材の基部の下方に、下部作業開口が形成され、この下部作業開口をカバーする下カバーが設けられている場合には、下部作業開口から手などを配管配設用空間内に挿入することができる。したがって、配管などを配管配設用空間内に配設する作業が容易となる。
【００１１】
そして、据付枠が、支持材の当接部が当接する置台を具備している場合には、支持材の突っ張り部だけでなく、突出する置台でも、室内ユニットの傾斜を促進することができ、配管作業などがさらに容易となる。
【発明を実施するための最良の形態】
【００１２】
つっかい棒として機能した支持材の取り外し作業を行う必要がないとともに、つっかい棒として機能した後不要となった支持材を有効利用するという目的を、支持材の基部を室内ユニットの背面に回動可能に取り付けるとともに、支持材の当接部から配管支持部をさらに延在させ、支持材をつっかい棒にした状態から、下方に回動させることにより、配管支持部を配管配設用空間に入れ、配管配設用空間に配設される配管を支持材で押し込むことができるように構成することで実現した。
【実施例１】
【００１３】
次に、本発明における空気調和装置の一実施例について、図１ないし図６を用いて説明する。図１は本発明における空気調和装置の室内ユニットの背面および据付枠の上部枠の正面の斜視図である。図２は据付枠の組み立て分解斜視図である。図３は空気調和装置の室内ユニットを取り付ける工程を説明するための説明図で、（ａ）が室内ユニットに下部枠を取り付けた状態の図、（ｂ）が下部枠を上部枠に係合させる直前の状態の図、（ｃ）が据付完了時の空気調和装置の斜視図である。図４は支持材および置台の概略の斜視図である。図５は支持材が置台に係合した状態での要部拡大図である。図６は支持材の回動を説明するための説明図で、（ａ）が置台に支持材が係合している状態の図、（ｂ）が支持材により配管が押し込められている状態の図である。なお、図５において、室内ユニットの背面の傾斜が分かるように、その傾斜方向が二点鎖線で図示されている。また、置台は断面で図示されている。さらに、図６において、下部作業開口の図示は省略されて、下壁が図示されている。
【００１４】
図３において、壁掛け式の空気調和装置の室内ユニット１は、据付枠２を介して室内の壁に据え付けられる。この室内ユニット１には、その前面に吸込グリル６が、また、下部に空気吹出口７が設けられている。そして、室内ユニット１内の送風機であるクロスフローファン５（図６参照）が稼働すると、室内ユニット１の設置されている室内の空気を吸込グリル６から吸い込む。また、室内ユニット１の熱交換器（図示しない）には、図示しない室外機からの冷媒が流れる。そして、室内ユニット１内に吸い込まれた空気は、室内ユニット１内の熱交換器で空気調和（すなわち、冷却や加熱）された後に、空気吹出口７から吹き出される。
【００１５】
図１において、室内ユニット１から外側に導き出された冷媒配管などの配管８は、図示しない室外機などからの配管９と接続される。この配管８，９を収納する配管配設用空間１１が、室内ユニット１の背面の下部に形成されている。この配管配設用空間１１は背面側が開口しているとともに、配管配設用空間１１の下側には、室内ユニット１の下壁１２が延在している。この下壁１２の中央部は切り欠かれ、下部作業開口１３が形成されている。この下部作業開口１３には、下カバー１４が着脱可能に取り付けられる。
【００１６】
また、室内ユニット１の背面の上部には、据付枠２に引っ掛けるための係合部１６が設けられている。さらに、室内ユニット１の背面の中央部には、支持材１７（詳細は後述する）が水平軸を中心として回動可能に取り付けられている。
【００１７】
図２において、据付枠２は、上部枠２１と下部枠２２とを備え、上部枠２１と下部枠２２とは分離可能で、上部枠２１は壁にビス止めされる。そして、上部枠２１の上部には、室内ユニット１の係合部１６を傾動可能に係止するフック２６が形成されている。また、上部枠２１の中央部には、詳細は後述する置台２７が前側（すなわち、室内ユニット１側）に突出して設けられている。さらに、上部枠２１の両サイドの下端には、下部枠２２の両サイドの上端部を嵌め込んで係止する係止部２８が設けられている。そして、下部枠２２を上部枠２１に取り付ける際には、両サイドの上端部を上部枠２１の係止部２８に嵌め込んで係止するとともに、ビス２９で上部枠２１に固定される。
【００１８】
図４ないし図６において、支持材１７は、室内ユニット１の背面に回動可能に取り付けられる基部３１、この基部３１から延在する平板状の突っ張り部３２、この突っ張り部３２の先端部から略直角に折れ曲がるとともに据付枠２の置台２７に当接する板状の当接部３３、および、この当接部３３から略直角に２回折れ曲がって延在する板状の配管支持部３４を具備している。そして、当接部３３における突っ張り部３２側（図４および図５において上側）の端部には突起３６が形成されている。また、基部３１の取付位置は、下部作業開口１３の上方となっているとともに、図６（ｂ）に図示するように、配管配設用空間１１の所定位置に収納された配管８，９よりも背面側に位置している。
【００１９】
置台２７は、支持材１７の当接部３３が当接する載置部４１、この載置部４１の両側の張出部４２、載置部４１の上端部付近に設けられた係止孔４３および、係止孔４３の上側に突出して設けられたストッパ４４を具備している。載置部４１の横幅Ａは当接部３３の横幅Ａと略同じであり、また、係止孔４３の横幅Ｂは突起３６の横幅Ｂと略同じである。そして、支持材１７の当接部３３が置台２７の載置部４１に当接している状態では、ストッパ４４は支持材１７の当接部３３が上方へ移動することを阻止し、また、両張出部４２は当接部３３が横方向に移動することを阻止する。さらに、支持材１７の突起３６が置台２７の係止孔４３に嵌まり込むことで、支持材１７の回動を阻止する。
【００２０】
この様に構成されている空気調和装置の室内ユニット１を壁に設置する際には、まず初めに、据付枠２の上部枠２１を壁にビス止めして固定する。ついで、室内ユニット１の上部の係合部１６を上部枠２１のフック２６に引っ掛ける。そして、係合部１６を中心として、室内ユニット１の下部を上側に移動させて、室内ユニット１を傾動させる。支持材１７を回動して、当接部３３を置台２７の載置部４１に当接させ、図５および図６（ａ）に図示するように、支持材１７により室内ユニット１を傾斜した状態で支持する。
【００２１】
この室内ユニット１の傾斜した状態で、室内ユニット１側の配管８と、室外機などからの配管９とを接続する。この接続作業などが終了すると、据付枠２の下部枠２２の係止片５１（図２参照）を室内ユニット１のリブ（図示しない）に挟み込み、下部枠２２を室内ユニット１に仮固定する（図３（ａ）参照）。そして、支持材１７を下方に回動し、支持材１７の突っ張り部３２や配管支持部３４で配管８，９を配管配設用空間１１内に押し込みながら、配管支持部３４を配管配設用空間１１内に入れるとともに、係合部１６を中心として、室内ユニット１を下側に傾動させて、図６（ｂ）の状態とする。その際に、図３（ｂ）および図３（ｃ）に図示するように、下部枠２２の両サイドの上端部は、上部枠２１の係止部２８に嵌め込まれる。ついで、ビス２９で、下部枠２２を上部枠２１にビス止めして固定する。そして、図３（ｃ）に図示するように、下カバー１４を室内ユニット１の下部作業開口１３に取り付ける。
【００２２】
前述の様に、上記実施の形態においては、支持材１７で室内ユニット１を傾斜した状態に維持することができるため、配管８，９の接続作業が容易となる。また、作業後、支持材１７を下側に回動することにより、配管８，９を配管配設用空間１１内に押し込めることができる。したがって、つっかい棒として機能した支持材１７を、配管８，９を保持する部材として有効に機能させることができ、配管８，９を配管配設用空間１１内に収納する作業が容易となる。
【００２３】
また、支持材１７の基部３１の下側において、配管配設用空間１１の下壁１２に下部作業開口１３が設けられている。したがって、支持材１７により、配管８，９を配管配設用空間１１内に押し込む作業が、下壁１２に妨げられることなく、行うことができる。
【００２４】
さらに、図６（ａ）に図示するように、支持材１７の当接部３３が据付枠２の載置部４１に当接して室内ユニット１が傾いた状態では、支持材１７の配管支持部３４は、当接部３３よりも基部３１側（図６において、左側）に位置している。したがって、支持材１７の取付誤差などにより、支持材１７の配管支持部３４が、据付枠２に接触したり、また、室内ユニット１の下壁１２に接触したりすることを極力防止することができる。
【００２５】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）支持材１７や置台２７などの材質は適宜変更可能である。
（２）置台２７は設けられていることが好ましいが、必ずしも設ける必要はなく、支持材１７の当接部３３が据付枠２の本体に直接当接することも可能である。
【産業上の利用可能性】
【００２６】
室内ユニットから延びる支持材をつっかい棒にして、室内ユニットを傾けた状態にすることができるとともに、支持材の当接部から配管支持部がさらに延在しているため、支持材をつっかい棒にした状態から、下方に回動させることにより、配管支持部を配管配設用空間に入れ、配管配設用空間に配設される配管を支持材で押し込むことができ、つっかい棒として機能した支持材を、有効利用して、配管保持部材としても機能させることができる。したがって、室内ユニットを壁に据え付ける際に、据付枠を壁に固定し、この据付枠に室内ユニットの上部を傾動可能に引っ掛けるとともに、室内ユニットから延びる支持材をつっかい棒にして、室内ユニットを傾けた状態にして配管接続などの工事を行う空気調和装置に適用することが最適である。
【図面の簡単な説明】
【００２７】
【図１】図１は本発明における空気調和装置の室内ユニットの背面および据付枠の上部枠の正面の斜視図である。
【図２】図２は据付枠の組み立て分解斜視図である。
【図３】図３は空気調和装置の室内ユニットを取り付ける工程を説明するための説明図で、（ａ）が室内ユニットに下部枠を取り付けた状態の図、（ｂ）が下部枠を上部枠に係合させる直前の状態の図、（ｃ）が据付完了時の空気調和装置の斜視図である。
【図４】図４は支持材および置台の概略の斜視図である。
【図５】図５は支持材が置台に係合した状態での要部拡大図である。
【図６】図６は支持材の回動を説明するための説明図で、（ａ）が置台に支持材が係合している状態の図、（ｂ）が支持材により配管が押し込められている状態の図である。
【符号の説明】
【００２８】
１  室内ユニット
２  据付枠
１１  配管配設用空間
１２  配管配設用空間の下壁
１３  下部作業開口
１４  下カバー
１７  支持材
２７  据付枠の置台
３１  支持材の基部
３２  支持材の突っ張り部
３３  支持材の当接部
３４  支持材の配管支持部
【図１】
2006145049.tif 000003
【図２】
2006145049.tif 000004
【図３】
2006145049.tif 000005
【図４】
2006145049.tif 000006
【図５】
2006145049.tif 000007
【図６】
2006145049.tif 000008